(57)【要約】【課題】従来のパワーコンディショナには、出力制御により系統配線に送出できる電力が減る問題がある。【解決手段】本発明にかかるパワーコンディショナは、太陽電池パネルと蓄電池とが接続され、コンバータ制御部２１、双方向直流／直流コンバータ２２及び最大電力点追従制御部１３を用いて、外部から与えられる出力制御指令値Ｐｇ＊により指定される送出可能電力と太陽電池パネル２の発電電力との差を蓄電池３の充放電により補うことで、発電電力が送出可能電力よりも大きい場合と、発電電力が送出可能電力よりも小さい場合と、のいずれの場合であっても送出電力を送出可能電力に漸近させる。【選択図】図１
2019041554.tif 000002
【特許請求の範囲】
【請求項１】
太陽電池パネルで発電された発電電力を伝達する直流バスと、
前記直流バス上に設けられる分岐点から分岐される分岐直流バスと、
前記分岐点よりも前記太陽電池パネル寄りの前記直流バスから発電電流及び発電電圧を検出して充放電電流指令値を生成するコンバータ制御部と、
前記分岐直流バスと蓄電装置との間に設けられ、前記充放電電流指令値に応じた電流量で、前記蓄電装置の充放電を行う双方向直流／直流コンバータと、
送出電流指令値に基づき前記直流バスから与えられる送出直流電力を系統電源に与える送出交流電力に変換する単方向直流／交流コンバータと、
前記分岐点よりも前記単方向直流／直流コンバータ寄りの前記直流バスから送出電流及び送出電圧を検出して前記送出電流指令値を生成する最大電力点追従制御部と、を有し、
前記コンバータ制御部は、外部から与えられる出力制御指令値により指定される送出可能電力と前記発電電力とに基づき、前記送出可能電力に対する前記発電電力の余剰電力又は不足電力を算出して、前記余剰電力又は前記不足電力に相当する電流量で前記蓄電装置に充放電を行わせる前記充放電電流指令値を生成し、
前記最大電力点追従制御部は、前記出力制御指令値を受けて、前記直流バスの電圧を前記送出可能電力とは独立した状態で前記発電電力が最大となる電圧としながら、前記発電電力が前記送出可能電力よりも大きい場合は前記送出交流電力が前記送出可能電力以下となるような前記送出電流指令値を生成し、前記発電電力が前記送出可能電力よりも小さい場合は前記送出交流電力が前記送出可能電力以下かつ前記発電電力以上となるように前記送出電流指令値を生成するパワーコンディショナ。
【請求項２】
前記コンバータ制御部は、前記発電電流及び前記発電電圧に基づき前記発電電力を算出する発電電力演算部と、
前記送出可能電力と前記発電電力との比を示す電力比率を算出する電力比率算出部と、
前記電力比率から１を引いて充放電係数を算出する充放電係数算出部と、
前記発電電流と前記充放電係数との積を前記充放電電流指令値として出力する充放電電流指令値算出部と、を有する請求項１に記載のパワーコンディショナ。
【請求項３】
前記最大電力点追従制御部は、予め設定された前記太陽電池パネルの出力特性に基づき前記発電電力が最大となるバス電圧とを算出し、前記バス電圧に対して前記送出可能電力以下かつ前記送出可能電力に漸近する送出交流電力となるように前記送出電流指令値を算出する請求項１又は２に記載のパワーコンディショナ。
【請求項４】
前記分岐点より前記分岐点よりも前記単方向直流／直流コンバータ寄りの前記直流バス上に前記系統電源から前記蓄電装置への電流の流入を防止する逆流防止部を有する請求項１乃至３のいずれか１項に記載のパワーコンディショナ。
【請求項５】
太陽電池パネルで発電された発電電力を伝達する直流バスと、
前記直流バス上に設けられる分岐点から分岐される分岐直流バスと、
前記分岐直流バスと蓄電装置との間に設けられ、充放電電流指令値に応じた電流量で、前記蓄電装置の充放電を行う双方向直流／直流コンバータと、
送出電流指令値に基づき前記直流バスから与えられる送出直流電力を系統電源に与える送出交流電力に変換する単方向直流／交流コンバータと、を有するパワーコンディショナの送出電力制御方法であって、
外部から与えられる出力制御指令値により指定される送出可能電力と前記発電電力とに基づき、前記送出可能電力に対する前記発電電力の余剰電力又は不足電力を算出して、前記余剰電力又は前記不足電力に相当する電流量に基づき前記充放電電流指令値を算出し、
前記出力制御指令値を受けて、前記直流バスの電圧を前記送出可能電力とは独立した状態で前記発電電力が最大となる電圧としながら、前記発電電力が前記送出可能電力よりも大きい場合は前記送出交流電力が前記送出可能電力以下となり、前記発電電力が前記送出可能電力よりも小さい場合は前記送出交流電力が前記送出可能電力以下かつ前記発電電力以上となるような前記送出電流指令値を算出するパワーコンディショナの送出電力制御方法。
【発明の詳細な説明】
【技術分野】
【０００１】
本発明はパワーコンディショナ及びその送出電力制御方法に関し、特に太陽電池パネルと蓄電装置とを併用した分散電源から交流電源を生成するパワーコンディショナ及びその送出電力制御方法に関する。
【背景技術】
【０００２】
近年、太陽電池パネル、風車等の発電装置を利用して発電した再生可能エネルギーを商用電力が供給される系統配線を通じて送出する交流電源装置（例えば、パワーコンディショナ）が多く利用されている。このように多数の発電装置で発電された再生可能エネルギーを１つの系統配線に送出するシステムを分散電源システムと称す。また、再生可能エネルギーは、気象条件により発電量が変動する。そのため、系統配線の電圧を安定化させるためには、各パワーコンディショナから系統配線に送出する電力を安定化させる必要がある。そこで、送出電力を安定化させる技術が特許文献１に開示されている。
【０００３】
特許文献１に記載の太陽光発電装置は、太陽電池と、該太陽電池の発電電力によって充電される蓄電池と、前記太陽電池及び蓄電池の直流を交流に変換するインバータと、該インバータと連系接続される商標電力系統と、よりなる太陽光発電装置である。この太陽光発電装置では、前記インバータの送出電力量を前記太陽電池の最大発電電力量も大きく設定する。決められた電力送出パターンに沿って運転し、電力送出以上の発電が発生した場合は余剰分を蓄電池に充電し、発電電力を不足した場合には蓄電池より電力を補う。しかしながら、特許文献１に記載の太陽光発電装置では、発電電力は太陽電池の電流値と蓄電池の電圧の積によって求められており太陽電池の出力特性を考慮した最大発電電力点で発電しておらず、効率よく発電されていない問題がある。
【０００４】
そこで、太陽光発電システムにおいて太陽電池の最大発電能力を発揮させる最大電力点追従制御に関する技術が特許文献２に開示されている。また、最大電力点追従制御を行った場合、太陽電池の発電能力を最大化させることができるが、系統配線に送出される電力は、日射条件等の発電条件の変動により大きく変動することになる。そのため、系統配線を管理する商用電力業者は、発電事業者に対して送出電力を一定の電力以下に制限する出力制御要求をすることがある。この出力制御要求が通知された場合、発電事業者は、出力要求に応じて送出電力を制限する必要がある。そこで、特許文献２では、系統配線に送出する送出電力を抑制する出力制御技術についても開示している。
【０００５】
特許文献２に記載の太陽光発電システムは、太陽電池アレイの動作電圧を設定し、かつ前記太陽電池アレイの出力する直流電力を交流に変換するインバータと、前記太陽電池アレイの出力する電流および電圧を計測する計測部と、前記計測部により計測される前記太陽電池アレイの動作電圧および出力電流値を基に前記太陽電池アレイの動作電圧指令値を算出する最大電力点追従部と、前記計測部より得られる前記太陽電池アレイの動作電圧値と、前記最大電力点追従部より設定される前記太陽電池アレイの動作電圧指令値とを比較し、その差分を基に比例積分制御を行う自動電圧調整部と、前記自動電圧調整部より出力される電流指令値を基に前記インバータのゲート信号を生成するパルス幅変調信号生成部と、日の出から日の入りまで、低日射の場合も含めて常に最大電力点追従による電圧指令出力により制御する電力制御部と、を有する。また、特許文献２の太陽光発電システムでは、前記電力制御部が、電力抑制時の前記太陽電池アレイの動作電圧設定方法において、前記最大電力点追従部での前記太陽電池アレイの動作電圧設定毎の電力測定値を電力抑制値と比較し、電圧設定値を決定する。
【先行技術文献】
【特許文献】
【０００６】
【特許文献１】特開平１−３０３０２２号公報
【特許文献２】特開２０１５−２８６９４号公報
【発明の概要】
【発明が解決しようとする課題】
【０００７】
上述したように、特許文献１では、太陽電池の発電効率を最大化させることが出来ない問題がある。一方、特許文献２に記載の最大電力点追従機能を用いることで太陽電池の発電効率を最大化させることが可能である。しかしながら、再生可能エネルギーは電圧変動が大きく、系統配線に送出される再生可能エネルギーの電力量が大きくなり、商用電力網の安定稼働に問題が生じている。そこで、特許文献２に記載された出力制御要求に基づく送出電力の抑制が行われるようになってきている。
【０００８】
特許文献２では、出力制御期間中は、太陽電池の出力電圧を決定する電圧設定値を調節することで太陽電池の発電効率を本来の発電効率よりも抑制する。そのため、特許文献２に記載の太陽光発電システムでは、出力制御期間中に発電効率が低下し、結果的に系統配線に送出できる電力が減る問題がある。
【課題を解決するための手段】
【０００９】
本発明にかかるパワーコンディショナの一態様は、太陽電池パネルで発電された発電電力を伝達する直流バスと、前記直流バス上に設けられる分岐点から分岐される分岐直流バスと、前記分岐点よりも前記太陽電池パネル寄りの前記直流バスから発電電流及び発電電圧を検出して充放電電流指令値を生成するコンバータ制御部と、前記分岐直流バスと蓄電装置との間に設けられ、前記充放電電流指令値に応じた電流量で、前記蓄電装置の充放電を行う双方向直流／直流コンバータと、前記分岐点よりも前記単方向直流／直流コンバータ寄りの前記直流バスから送出電流及び送出電圧を検出して送出電流指令値を生成する最大電力点追従制御部と、前記送出電流指令値に基づき前記直流バスから与えられる送出直流電力を系統電源に与える送出交流電力に変換する単方向直流／交流コンバータと、を有し、前記コンバータ制御部は、外部から与えられる出力制御指令値により指定される送出可能電力と前記発電電力とに基づき、前記送出可能電力に対する前記発電電力の余剰電力又は不足電力を算出して、前記余剰電力又は前記不足電力に相当する電流量で前記蓄電装置に充放電を行わせる前記充放電電流指令値を生成し、前記最大電力点追従制御部は、前記出力制御指令値を受けて、前記直流バスの電圧を前記送出可能電力とは独立した状態で前記発電電力が最大となる電圧としながら、前記発電電力が前記送出可能電力よりも大きい場合は前記送出電力が前記送出可能電力以下となるような前記送出電流指令値を生成し、前記発電電力が前記送出可能電力よりも小さい場合は前記送出電力が前記送出可能電力以下かつ前記発電電力以上となるように前記送出電流指令値を生成する。
【００１０】
本発明にかかるパワーコンディショナの送出電力制御方法の一態様は、太陽電池パネルで発電された発電電力を伝達する直流バスと、前記直流バス上に設けられる分岐点から分岐される分岐直流バスと、前記分岐直流バスと蓄電装置との間に設けられ、充放電電流指令値に応じた電流量で、前記蓄電装置の充放電を行う双方向直流／直流コンバータと、送出電流指令値に基づき前記直流バスから与えられる送出直流電力を系統電源に与える送出交流電力に変換する単方向直流／交流コンバータと、を有するパワーコンディショナの送出電力制御方法であって、外部から与えられる出力制御指令値により指定される送出可能電力と前記発電電力とに基づき、前記送出可能電力に対する前記発電電力の余剰電力又は不足電力を算出して、前記余剰電力又は前記不足電力に相当する電流量に基づき前記充放電電流指令値を算出し、前記出力制御指令値を受けて、前記直流バスの電圧を前記送出可能電力とは独立した状態で前記発電電力が最大となる電圧としながら、前記発電電力が前記送出可能電力よりも大きい場合は前記送出交流電力が前記送出可能電力以下となり、前記発電電力が前記送出可能電力よりも小さい場合は前記送出電力が前記送出可能電力以下かつ前記発電電力以上となるような前記送出電流指令値を算出する。
【００１１】
本発明にかかるパワーコンディショナ及びその送出電力制御方法では、上記構成をとることにより、出力制御要求があった場合においても、太陽電池パネルを最大の発電効率で発電させ、系統配線に送出できない発電電力の余剰分を蓄電池に蓄えることができる。また、本発明にかかるパワーコンディショナ及びその送出電力制御方法では、太陽電池パネルを最大の発電効率で発電させた場合であっても出力制御要求により指定された送出可能電力よりも発電電力が小さな場合には、蓄電池に蓄えた太陽電池パネルで発電された電力をその時点の発電電力と合わせて系統配線に送出する。これにより、
【発明の効果】
【００１２】
本発明にかかるパワーコンディショナ及びその送出電力制御方法によれば、系統配線に送出できる発電電力量を最大化させることができる。
【図面の簡単な説明】
【００１３】
【図１】実施の形態１にかかるパワーコンディショナのブロック図である。
【図２】実施の形態１にかかるコンバータ制御部及び双方向直流／直流コンバータのブロック図である。
【図３】実施の形態１にかかるパワーコンディショナにおいて出力制御が行われていないときの最大電力点追従制御部の動作を説明する図である。
【図４】実施の形態１にかかるパワーコンディショナにおいて太陽電池パネルの発電量が送出可能電力より大きい場合の最大電力点追従制御部の動作を説明する図である。
【図５】実施の形態１にかかるパワーコンディショナにおいて太陽電池パネルの発電量が送出可能電力より小さい場合の最大電力点追従制御部の動作を説明する図である。
【図６】実施の形態１にかかるパワーコンディショナの第１の動作を説明するタイミングチャートである。
【図７】実施の形態１にかかるパワーコンディショナの第２の動作を説明するタイミングチャートである。
【発明を実施するための形態】
【００１４】
実施の形態１
以下では、図面を参照して本発明の実施の形態について説明する。実施の形態１にかかるパワーコンディショナ１は、発電所等で発電された電力を需要者に供給する商用系統電源ＳＰＳと連系して動作する連系動作を行う。この連系動作において、実施の形態１にかかるパワーコンディショナ１は、太陽電池パネル２で発電される発電電力及び蓄電池３から放電される放電電力を用いて商用電源ＳＰＳに送出する送出電力を生成する。
【００１５】
ここで、図１に実施の形態１にかかるパワーコンディショナ１のブロック図を示す。なお、図１では、パワーコンディショナ１が出力する送出電力の出力先である商用電源ＳＰＳ、パワーコンディショナ１に発電電力を供給する太陽電池パネル２及びパワーコンディショナ１が利用する蓄電池３を示した。
【００１６】
図１に示すように、実施の形態１にかかるパワーコンディショナ１は、第１の逆流防止部（例えば、逆流防止ダイオード１１）、第２の逆流防止部（例えば、逆流防止ダイオード１２）、最大電力点追従制御部１３、単方向直流／交流コンバータ１４、コンバータ制御部２１、双方向直流／直流コンバータ２２を有する。また、実施の形態１にかかるパワーコンディショナ１は、直流バスＷ１と、直流バスＷ１上に設けられる分岐点Ｎ１から分岐する分岐直流バスＷ２と、を有する。直流バスＷ１上には、分岐点Ｎ１よりも上流側（例えば、太陽電池パネル２側）に電流検出部３１及び電圧検出部３２が設けられ、分岐点Ｎ１よりも下流側（例えば、商用電源ＳＰＳ側）に電流検出部３３及び電圧検出部３４が設けられる。
【００１７】
逆流防止ダイオード１１は、直流バスＷ１において、分岐点Ｎ１よりも上流側（例えば、太陽電池パネル２が接続される側）に設けられ、分岐点Ｎ１から太陽電池パネル２に対して電流が逆流することを防止する。逆流防止ダイオード１２は、直流バスＷ１において、分岐点Ｎ１よりも下流側（例えば、単方向直流／交流コンバータ１４が設けられる側）に設けられ、商用電源ＳＰＳから蓄電池３に流れ込む電流を防止する。
【００１８】
最大電力点追従制御部１３は、分岐点Ｎ１よりも単方向直流／直流コンバータ１４寄りの直流バスＷ１から送出電流Ｉｏ及び送出電圧Ｖｏを検出して送出電流指令値Ｉｓｐｓ＊を生成する。送出電流Ｉｏは、電流検出部３３により取得され、送出電圧Ｖｏは電圧検出部３４により取得される。また、最大電力点追従制御部１３は、外部から出力制御指令値Ｐｇ＊を受けて単方向直流／交流コンバータ１４から送出される送出電力が、出力制御指令値Ｐｇ＊で指定される送出可能電力を超えないように送出電流指令値Ｉｓｐｓ＊の値を調整する。
【００１９】
最大電力点追従制御部１３は、出力制御指令値Ｐｇ＊により出力制御要求がなされていない状態では、送出電流指令値Ｉｓｐｓ＊により単方向直流／交流コンバータ１４の出力能力を調節することで、太陽電池パネル２の発電効率が最も高くなるように送出電流Ｉｏを制御する。
【００２０】
また、最大電力点追従制御部１３は、出力制御指令値Ｐｇ＊により出力制御要求がなされていない状態では以下のような制御を行う。太陽電池パネル２の発電電力が送出可能電力よりも大きい場合、最大電力点追従制御部１３は、送出電流を太陽電池パネル２の発電電力が最大となる送出電流Ｉｏとしながら、送出電力が送出可能電力以下となるような送出電流指令値Ｉｓｐｓ＊を生成する。なお、太陽電池パネル２の発電電力が送出可能電力よりも大きい場合、最大電力点追従制御部１３は、直流バスＷ１の送出電圧Ｖｏを送出可能電力とは独立した状態で、太陽電池パネル２の発電能力を最大化させるように送出電圧Ｖｏを設定する。一方、発電電力が前記送出可能電力よりも小さい場合、最大電力点追従制御部１３は、送出電力が送出可能電力以下かつ太陽電池パネル２の発電電力以上となるように送出電流指令値Ｉｓｐｓ＊を生成する。なお、太陽電池パネル２の発電電力が送出可能電力よりも小さい場合、最大電力点追従制御部１３は、直流バスＷ１の送出電圧Ｖｏを送出可能電力とは独立した状態で、太陽電池パネル２の発電能力を最大化させるように送出電圧Ｖｏを設定する。
【００２１】
単方向直流／交流コンバータ１４は、送出電流指令値Ｉｓｐｓ＊に基づき直流バスＷ１から与えられる送出直流電力を商用電源ＳＰＳに与える送出交流電力に変換する。この送出直流電力は、送出電流Ｉｏと送出電圧Ｖｏとの積により求まる。また、送出交流電力は以下では単に送出電力と称す。図１に示す例では、単方向直流／交流コンバータ１４を、単方向直流／直流コンバータ１５及びインバータ１６により構成する。単方向直流／直流コンバータ１５は、送出電流指令値Ｉｓｐｓ＊により出力する電流量を調整しながら、送出電圧Ｖｏを所定の直流電圧に変換する。インバータ１６は、直流電圧を交流電圧に変換する。インバータ１６が出力する電力が送出電力となる。
【００２２】
コンバータ制御部２１は、分岐点Ｎ１よりも太陽電池パネル２寄りの直流バスＷ１から発電電流Ｉｐｖ及び発電電圧Ｖｉを検出して充放電電流指令値Ｉｓ＊を生成する。この充放電電流指令値Ｉｓ＊を生成するに当たり、コンバータ制御部２１は、出力制御指令値Ｐｇ＊を参照する。具体的には、コンバータ制御部２１は、外部から与えられる出力制御指令値Ｐｇ＊により指定される送出可能電力と太陽電池パネル２の発電電力とに基づき、送出可能電力に対する発電電力の余剰電力又は不足電力を算出して、余剰電力又は不足電力に相当する電流量で蓄電装置３に充放電を行わせるように充放電電流指令値Ｉｓ＊を生成する。このコンバータ制御部２１についての詳細は後述する。
【００２３】
双方向直流／直流コンバータ２２は、分岐直流バスＷ２と蓄電装置３との間に設けられ、充放電電流指令値Ｉｓ＊に応じた電流量（例えば、充放電電流Ｉｓ）で、蓄電装置３の充放電を行う。
【００２４】
ここで、コンバータ制御部２１及び双方向直流／直流コンバータ２２について詳細に説明を行う。図２に実施の形態１にかかるコンバータ制御部２１及び双方向直流／直流コンバータ２２のブロック図を示す。図２に示すように、コンバータ制御部２１は、発電電力算出部４１、ローパスフィルタ４２、電力比率算出部（例えば、除算器４３）、充放電係数算出部（例えば、加算器４４）、充放電電流指令値算出部（例えば、乗算器４５）を有する。双方向直流／直流コンバータ２２は、ＰＷＭ制御部５１、を有する。
【００２５】
発電電力算出部４１は、電流検出部３１で検出された発電電流Ｉｐｖ及び電圧検出部３２で検出された発電電圧Ｖｏに基づき発電電力Ｐｐｖを算出する。発電電力算出部４１は、発電電流Ｉｐｖと発電電圧Ｖｉとの積を求めることで発電電力Ｐｐｖを算出する。ローパスフィルタ４２は、所定の期間に取得される発電電力Ｐｐｖの平均値を算出することで、発電電力Ｐｐｖの突発的な変動に起因するノイズを除去する。除算器４３は、出力制御指令値Ｐｇ＊により示される送出可能電力と発電電力Ｐｐｖとの比を示す電力比率を算出する。加算器４４は、−１に除算器４３で算出された電力比率を加算することで、充放電係数Ｍを算出する。この充放電係数Ｍは、発電電力Ｐｐｖ中の余剰電力又は発電電力Ｐｐｖの不足電力比率を示すものである。加算器４４で算出される充放電係数Ｍは（１）式で示される。
Ｍ＝（Ｐｇ＊／Ｐｐｖ）−１・・・（１）
乗算器４５は、発電電流Ｉｐｖと充放電係数Ｍとの積を充放電電流指令値Ｉｓ＊として出力する。この充放電電流指令値Ｉｓ＊は（２）式によって表される。
Ｉｓ＊＝Ｍ＊Ｉｐｖ・・・（２）
【００２６】
ＰＷＭ制御部５１は、充放電電流指令値Ｉｓ＊に応じたデューティー比のＰＷＭ信号を生成する。直流／直流コンバータ５２は、ＰＷＭ制御部５１が出力するＰＷＭ信号デューティー比に応じて、充放電電流Ｉｓを蓄電池３に与える。このとき、直流／直流コンバータ５２は、分岐直流バスＷ２（若しくは直流バスＷ１）の直流電圧値を蓄電池３に与える直流電圧値に変換する。
【００２７】
ここで、（１）式及び（２）式を参照してコンバータ制御部２１及び双方向直流／直流コンバータ２２により蓄電池３に充放電される充放電電流Ｉｓの大きさについて説明する。（２）式に（１）式の充放電係数Ｍを代入すると、（３）式を得ることができる。
Ｉｓ＊＝（（Ｐｇ＊／Ｐｐｖ）−１）Ｉｐｖ
＝（Ｐｇ＊／Ｖｉ×Ｉｐｖ）Ｉｐｖ−Ｉｐｖ）
＝Ｐｇ＊／Ｖｉ−Ｉｐｖ
＝（Ｖｏ×Ｉｏ）／Ｖｉ−Ｉｐｖ  ・・・（３）
ここで、送出電圧Ｖｏと発電電圧Ｖｉは、同じ直流バスＷ１の電圧であり、同電圧である。また、送出電流Ｉｏは、発電電流Ｉｐｖと充放電電流Ｉｓの合計値である。このようなことから（３）式は（４）式のように変形することができる。
Ｉｓ＊＝（Ｖｉ×（Ｉｐｖ−Ｉｓ））／Ｖｉ−Ｉｐｖ
＝Ｉｐｖ−Ｉｓ−Ｉｐｖ
＝Ｉｓ  ・・・（４）
【００２８】
つまり、コンバータ制御部２１では、出力制御指令値Ｐｇ＊と発電電力Ｐｐｖの比率を電力比率として算出し、現状発電されている電力が出力制御指令値Ｐｇ＊に対してどれほどの比率で過剰なのか、或いは、不足しているのかを充放電係数Ｍとして算出し、充放電係数Ｍと発電電流Ｉｐｖとの積を充放電電流指令値Ｉｓ＊とする。このようにして充放電電流指令値Ｉｓ＊を算出することで、蓄電池３がどの程度の電流を充放電することで出力制御指令値Ｐｇ＊に相当する送出電力を生成できるのかを求めることができる。
【００２９】
続いて、実施の形態１にかかるパワーコンディショナ１の動作について説明する。ここでは、まず最大電力点追従制御部１３の動作について説明する。上述したように最大電力点追従制御部１３は、３つの動作モードを有する。第１の動作モードは、出力制御指令値Ｐｇ＊が入力されていないとき動作である。第２の動作モードは、出力制御指令値Ｐｇ＊により出力制御要求が通知されており、かつ、太陽電池パネル２の発電電力が送出可能電力よりも大きなときの動作である。第３の動作モードは、出力制御指令値Ｐｇ＊により出力制御要求が通知されており、かつ、太陽電池パネル２の発電電力が送出可能電力よりも小さなときの動作である。
【００３０】
そこで、図３に、実施の形態１にかかるパワーコンディショナ１において出力制御が行われていないときの最大電力点追従制御部１３の動作を説明する図を示す。図３に示すように、太陽電池パネル２の最大電力点は、所定の出力曲線としてプロットすることができる。最大電力点追従制御部１３は、この出力曲線に従って、送出電力が最大となる送出電圧Ｖｏとなる送出電流指令値Ｉｓｐｓ＊を生成する。これにより、実施の形態１にかかるパワーコンディショナ１は、最も高い効率で送出電力を出力する。
【００３１】
続いて、図４に、実施の形態１にかかるパワーコンディショナ１において太陽電池パネル２の発電量が送出可能電力より大きい場合の最大電力点追従制御部１３の動作を説明する図を示す。図４に示すように、この場合、太陽電池パネル２を最大の効率で発電させてしまうと、送出可能電力よりも発電電力の方が大きくなってしまう。そのため、実施の形態１にかかる最大電力点追従制御部１３は、単方向直流／交流コンバータ１４に与える送出電流指令値Ｉｓｐｓ＊を太陽電池パネル２の発電により生じる発電電流Ｉｐｖよりも小さな電流値となる送出電流Ｉｏを出力可能な程度に抑制する。このとき、実施の形態１にかかるパワーコンディショナ１では、コンバータ制御部２１及び双方向直流／直流コンバータ２２が充放電電流Ｉｓを分岐直流バスＷ２により蓄電池３側に引き込むことで、送出電流Ｉｏの大きさを発電電流Ｉｐｖよりも小さくする。
【００３２】
続いて、図５、に実施の形態１にかかるパワーコンディショナ１において太陽電池パネル２の発電量が送出可能電力より小さい場合の最大電力点追従制御部１３の動作を説明する図を示す。図５に示すように、この場合、太陽電池パネル２を最大の効率で発電させても、送出可能電力の方が大きくなる。太陽電池パネル２の発電電力だけでは送出可能電力に満たない送出電力しか出力出来ないことになる。そのため、実施の形態１にかかる最大電力点追従制御部１３は、単方向直流／交流コンバータ１４に与える送出電流指令値Ｉｓｐｓ＊を太陽電池パネル２の発電により生じる発電電流Ｉｐｖよりも大きな電流値となる送出電流Ｉｏを出力可能な程度に増強する。このとき、実施の形態１にかかるパワーコンディショナ１では、コンバータ制御部２１及び双方向直流／直流コンバータ２２が充放電電流Ｉｓを、分岐直流バスＷ２を介して直流バスＷ１に放電することで、送出電流Ｉｏの大きさを発電電流Ｉｐｖよりも大きくする。
【００３３】
なお、図４及び図５に示すように、最大電力点追従制御部１３は、コンバータ制御部２１及び双方向直流／直流コンバータ２２による蓄電池３の充放電制御が行われている期間には、最大電力点を追従させる出力特性曲線を本来の太陽電池パネル２の出力特性から得られる出力特性曲線からシフトさせた出力特性曲線を用いる。
【００３４】
上述したように、実施の形態１にかかるパワーコンディショナ１では、コンバータ制御部２１及び双方向直流／直流コンバータ２２で発電電力Ｐｐｖの出力可能電力との差を蓄電池３の充放電により吸収することで、発電電力の大部分を商用電源ＳＰＳに送出することができる。そこで、以下では、実施の形態１にかかるパワーコンディショナ全体の動作を説明する。
【００３５】
図６に実施の形態１にかかるパワーコンディショナの第１の動作を説明するタイミングチャートを示し、図７に実施の形態１にかかるパワーコンディショナの第２の動作を説明するタイミングチャートを示す。第１の動作と第２の動作の違いは、送出可能電力の大小であり、第２の動作では第１の動作よりも送出可能電力が小さく設定される。
図６及び図７に示すように、実施の形態１にかかるパワーコンディショナ１は、発電電力Ｐｐｖが送出可能電力よりも上回っている期間は、余剰となった発電電力を蓄電池３に充電する（タイミングＴ１０〜Ｔ１１、Ｔ２０〜Ｔ２１）。そして、太陽電池パネル２の発電電力Ｐｐｖが送出可能電力を下回った場合には、タイミングＴ１０〜Ｔ１１（又はタイミングＴ２０〜Ｔ２１）で蓄電池３に充電した電力を放電することにより発電電力Ｐｐｖと送出可能電力との差分を埋め合わせる（タイミングＴ１１〜Ｔ１２、Ｔ２１〜Ｔ２２）。さらに、実施の形態１にかかるパワーコンディショナ１では、太陽電池パネル２の発電が行われていない期間であっても、蓄電池３に放電可能な電力が残っていれば、送出可能電力以下の放電能力で蓄電池３を放電させる（タイミングＴ１２〜Ｔ１３、Ｔ２２〜Ｔ２３）。
【００３６】
ここで、図６及び図７を参照すると、実施の形態１にかかるパワーコンディショナ１では、出力制御指令値Ｐｇ＊により指定される放電可能能力が小さくなった場合であっても、蓄電池３には太陽電池パネル２が発電した電力が蓄えられており、太陽電池パネル２の発電動作終了後に蓄電池３に充電された電力を放電する。つまり、実施の形態１にかかるパワーコンディショナ１は、出力制御指令値Ｐｇ＊により指定される送出可能電力の大小に関わらず、最大の効率で発電させた電力の大部分を商用電源ＳＰＳに送出する。
【００３７】
上記説明より、実施の形態１にかかるパワーコンディショナ１は、コンバータ制御部２１及びコンバータ制御部２１により外部から指定される送出可能電力と太陽電池パネル２の発電電力Ｐｐｖとの差を蓄電池３の充放電動作により吸収する。また、実施の形態１にかかるパワーコンディショナ１は、太陽電池パネル２を最大効率で発電させながら、出力制御指令値Ｐｇ＊で指定される送出可能電力に漸近する送出電力となるように最大電力点追従制御部１３を制御する。これにより、実施の形態１にかかるパワーコンディショナ１は、出力制御指令値Ｐｇ＊により指定される送出可能電力の大小に関わらず、最大の効率で発電させた電力の大部分を商用電源ＳＰＳに送出することができる。
【００３８】
近年、商用電源ＳＰＳを運営する事業者は、電力網の安定稼働のために出力制御を要求することがあり、このような出力制御が要求された場合、太陽電池パネル２の発電能力を抑制して本来発電できる電力を無駄にしなければならい問題がある。そのため、実施の形態１にかかるパワーコンディショナ１の様に出力制限の有無に関わらず、最大効率で発電した発電電力の大部分を商用電源ＳＰＳに送出できる効果は大きい。
【００３９】
また、特許文献２に記載の最大電力追従機能では、発電電力Ｐｐｖの出力特性に基づく送出電力の制御しか行われないため、蓄電池３の充放電によりインバータに与えられる電流が変化すると、制御に不具合が生じる可能性がある。しかしながら、実施の形態１にかかるパワーコンディショナ１によれば、蓄電池３の充放電動作に起因する不具合は生じない。
【００４０】
また、実施の形態１にかかるパワーコンディショナ１では、逆流防止ダイオード１２を設けることで、商用電源ＳＰＳから流れ込む電流により蓄電池３が充電され、蓄電池３に充電された電流が再び商用電源ＳＰＳに流れないとこを保障することができる。これにより、商用電源ＳＰＳを運営する事業者は、このような供給した電力の商用電源ＳＰＳへの再送出を禁止しており、逆流防止ダイオード１２を設けることで蓄電池３を設置しても電力を再送出しないことを保障することは重要である。
【００４１】
なお、本発明は上記実施の形態に限られたものではなく、趣旨を逸脱しない範囲で適宜変更することが可能である。
【符号の説明】
【００４２】
１  パワーコンディショナ
２  太陽電池パネル
３  蓄電池
１１、１２  逆流防止ダイオード
１３  最大電力点追従制御部
１４  単方向直流／交流コンバータ
１５  単方向直流／直流コンバータ
１６  インバータ
２１  コンバータ制御部
２２  双方向直流／直流コンバータ
３１、３３  電流検出部
３２、３４  電圧検出部
４１  発電電力算出部
４２  ローパスフィルタ
４３  除算器
４４  加算器
４５  乗算器
５１  ＰＷＭ制御部
５２  直流／直流コンバータ
Ｎ１  分岐点
Ｗ１  直流バス
Ｗ２  分岐直流バス
ＳＰＳ  商用電源
Ｉｐｖ  発電電流
Ｖｉ  発電電圧
Ｉｏ  送出電流
Ｖｏ  送出電圧
Ｉｓ  充放電電流
Ｉｓ＊  充放電電流指令値
Ｉｓｐｓ＊  送出電流指令値
Ｐｇ＊  出力制御指令値
Ｐｐｖ  発電電力
Ｍ  充放電係数
【図１】
2019041554.tif 000003
【図２】
2019041554.tif 000004
【図３】
2019041554.tif 000005
【図４】
2019041554.tif 000006
【図５】
2019041554.tif 000007
【図６】
2019041554.tif 000008
【図７】
2019041554.tif 000009